(57)【要約】【課題】一般的に使用されている待機電力の節電を目的としたコンセントタップを活用する場合において、複数本のコードが接続され、乱雑にならざるを得ない状況が多く、節電コンセントタップ自体が机上など管理しやすい場所に配置されず、実態として節電管理しにくいという課題があった。【解決手段】既存のパソコン専用台または机上に配置可能で、パソコンを上載する天板と天板を支える側板または支柱で構成される外枠および、引き出し状の筐体を基本形状とした内枠の組み合わせで構成され、引き出し前部外側に電源スイッチを複数配し、各々のスイッチの内側にコンセントを装備することで、市販の節電コンセントタップと同等の機能を有し、さらにコード整理箱としての機能を有する。【選択図】図１
2013161265.tif 000002
【特許請求の範囲】
【請求項１】
既存のパソコン専用台または机上に配置するもので、パソコンを上載する天板と天板を支える側板または支柱で構成される外枠および、引き出し状の筐体を基本形状とした内枠の組み合わせで構成され、引き出し前部外側に電源スイッチを複数配し、各々のスイッチの内側にコンセントを装備したことを特徴とする節電パソコン台。
【請求項２】
内枠の前部外側に配置した節電スイッチに対応する機器名称枠を設置したことを特徴とする請求項１記載の節電パソコン台。
【請求項３】
内枠内部に電源コード配置スペースを有し、各々の配置箇所に帯状またはひも状のコード固定具を施し、後方にコード引き出し口を設けたことを特徴とする請求項１記載の節電パソコン台。
【請求項４】
内枠の前部外側に配置した節電スイッチに並設して、臨時または一時使用コンセントを装備したことを特徴とする請求項１または２記載の節電パソコン台。
【発明の詳細な説明】
【技術分野】
【０００１】
本発明は、パソコン本体およびプリンター等周辺機器の待機電力節電のための節電コンセントタップ機能を有し、複数接続される電源コードの整理箱を兼ねたパソコン台に関するものである。
【背景技術】
【０００２】
一般家庭や事務所等において、パソコンは専用台や机上などに設置され、周辺にはプリンターはか関係機器が配置されており、電源は複数個の差し込み口を有するコンセントタップや、専用パソコン台に組み込まれたコンセントに接続されているケースが多い。
コンセントタップは節電タイプの物が数多く市販され、一般家庭等にも普及しているが、設置台の下や設置台裏側などの目につきにくい箇所に置かれていることが多く、確実に電源管理がなされていないのが実態である。
また、コンセントタップに接続される各機器の電源コードは、結束線等で結束されているか、コンセントタップ周辺に無造作に放置されており、埃やゴミが溜まりやすく火災の原因にもなりかねない状況となっている。
【０００３】
机上スペースを有効に活用するために、多段の構成で上段にディスプレー設置スペース、下段にキーボードやマウス操作スペースを配置し、コンセントを装備した専用台や机は既に多数提供されているが、本発明における節電管理並びに電源コード整理を目的とし、既存の専用台または机上に簡易に設置できるパソコン台は提供されていない。
【０００４】
特許文献１においては、ノートパソコンを設置している卓上に載置台なる家具を設置し、ノートパソコン本体の他周辺機器や付属品を有効に設置するための空間を確保するもので、節電を目的としたコンセント並びにスイッチを装備し、電源コードを整理できる本発明とは異なるものである。
【０００５】
特許文献２においては、引き出し内に電源タップを取り付け、携帯電話やデジカメなどを充電しながら収納し、パソコンのアダプタも収納できる引き出しとして提供されているが、待機電力の節電を目的として引き出しにコンセントを装備し、既存のパソコン専用台などの上に配置できる本発明とは異なるものである。
【先行技術文献】
【特許文献】
【０００６】
【特許文献１】特開２００６−７５４５０号公報
【特許文献２】特開２００８−２５９７９４号公報
【発明の概要】
【発明が解決しようとする課題】
【０００７】
先行技術においては、待機電力の節電を目的としたコンセントタップを活用する場合であっても、複数本の電源コードが接続され、乱雑にならざるを得ない状況では、机上など管理しやすい場所に配置されることはなく、実態として節電管理しにくい状況であるという課題があった。
本発明では、既存のパソコン専用台などの上に配置でき、電源使用状況が常に確認可能で、更に電源コードの整理が可能となる節電パソコン台を提供することを目的とする。
【課題を解決するための手段】
【０００８】
本発明は、一般に市販されている節電コンセントタップやコンセントを装備したパソコン台の問題を解決するため、既存のパソコン専用台または机上に配置し、パソコンを上載する天板と天板を支える側板または支柱で構成される外枠および、引き出し状の筐体を基本形状とした内枠を組み合わせたもので、使用者側に位置する内枠前部外側に電源スイッチを複数配置し、各々のスイッチの内側にコンセントを装備しており、内枠に接続された電源コードを通して宅内のコンセントから電源を確保することで、市販の節電コンセントタップと同等の機能を有することを特徴とする節電パソコン台を提供する。
【０００９】
市販のコンセントタップでは、接続された電源コードがいずれの機種のもの分かりにくい状況にあることから、内枠の前部外側に配置したスイッチの上部に、機器名称枠を設置したことを特徴とする。
【００１０】
パソコン本体のほか複数の機器の電源コードを整理するため、内枠底部にコンセントと同列に電源コード配置スペースを確保し、各々の配置箇所に帯状またはひも状の固定具を施し、内枠後方からそれぞれの機器へ電源コードを配線するための引き出し口を設けたことを特徴とする。
【００１１】
本発明では、内枠前部外側にスイッチ、内側にコンセントを配置しているが、スイッチに並設してコンセントを装備したことにより、一時的に使用する電気機器の電源確保に容易に対応できることを特徴とする。
【発明の効果】
【００１２】
本発明では、新たな専用パソコン台を要することなく、既存のパソコン専用台または机上に配置することが可能で、天板と天板を支える側板または支柱で構成される外枠にパソコンを上載し、内枠の前部内側に複数装備したコンセントにパソコン本体および周辺機器の電源コードを接続するとともに、各々のコードを整然と配置することができ、さらに使用者側に位置する内枠前部外側に配置したスイッチにより節電管理を的確に行うことが可能となる。
【００１３】
スイッチ自体を見やすい箇所に配置したことで、電源の入り切りの操作が容易になり、さらにスイッチ毎に機器名称を明記することで、常時電源を入れておく必要のある機器等が明確になり、待機電力の節電など電源管理を的確に行うことが可能となる。
【００１４】
一般的に、コンセントタップに接続されたコードは必要以上に長く、余剰分は乱雑に放置されるか、結束線等によって結束される程度で、コンセントタップ周辺に置かれているケースが多く、埃やゴミが溜まりやすくなり火災の原因にもなりかねない状況であるが、本発明では複数の電源コードを整理するために、内枠底部に電源コード類を配置するスペースを有し、各々の配置箇所においては帯状またはひも状の固定具によりコードを固定し、内枠後方に設けたコード引き出し口から、各機器へ必要長さのコードを配線することにより、複数の機器の電源コードが整理でき、機器の入れ替え時においてもコードを間違うことなく容易に取り替えが可能となる。
【００１５】
内枠前部外側にスイッチを配置しているが、パソコン周辺において一時的に電気機器を使用する場合に備え、スイッチに並設してコンセントを装備したことにより、常に電源を確保することを可能とした。
【図面の簡単な説明】
【００１６】
【図１】パソコンを上載する外枠と引き出し状内枠で構成される節電パソコン台の全体斜視図である。
【図２】既存のパソコン台上に配置した節電パソコン台正面図である。
【図３】引き出し状内枠を上方から見た図である。
【図４】断面Ａ−Ａ’を示す図である。
【図５】引き出し状内枠を後方から見た斜視図である。
【図６】外枠の天板を、支柱により支持した場合の斜視図である。
【発明を実施するための形態】
【００１７】
一般に市販されている節電コンセントタップやコンセントを装備したパソコン台の問題を解決するため、既存のパソコン専用台または机１４の上に配置し、パソコンを上載する天板１と天板を支える側板２または支柱３で構成される外枠１０１および、引き出し状の筐体を基本形状とする内枠１０２の組み合わせで構成され、使用者側に位置する内枠前部外側に電源スイッチ５を複数配置し、引き出し内側のコンセント収納部８に組み込まれたコンセント９を装備している。
これらの電源は、筐体に接続された任意の長さの電源コード１３を通して宅内のコンセントから確保できる。
【００１８】
市販のコンセントタップでは、接続された電源コードがいずれの機種のもの分かりにくい状況にあり、結果的に的確な電源管理が出来ていないのが実態であることから、内枠１０２の前部外側に配置した節電スイッチ５の上部に機器名称枠６を設置し、機器名のほか、常時電源を入れておく必要があるものなどを明記することで日常的に電源管理が確実に実施できる。
【００１９】
パソコン本体のほか複数の機器の電源コードを整理するため、内枠底部４に電源コードを配置するスペース１０を確保し、各々の配置箇所に帯状またはひも状のコード固定具１１を施し、内枠後方にコード引き出し口１２を設け、各機器へ必要長さのコードを配線することにより、複数の機器の電源コードが整理でき、機器の入れ替え時においてもコードを間違うことなく容易に取り替えが可能となる。
【００２０】
内枠前部外側にスイッチ５を配置しているが、パソコン周辺において一時的に電気機器を使用する場合に備え、スイッチ５に並設してコンセント７を装備したことにより、常に電源を確保することを可能とした。
【実施例】
【００２１】
パソコンを上載する外枠の天板１および天板を支える側板２または支柱３は,パソコン重量に耐えうる強度を有する必要があること、既存のパソコン台の多くが木製であること、また組み立て式とすることなども考慮し、木製が最適である。
【００２２】
本発明全体の高さを極力抑えるため、コンセント収納部８に組み込まれるコンセント９は、内枠後方に向けた水平方向に組み込むこととしている。
【００２３】
電源コード配置スペース１０において電源コードを固定するコード固定具１１は、帯状またはひも状のものとしているが、確実に固定でき繰り返し使用にも耐え、一般に普及し安価で入手できる面ファスナーが最適である。
【産業上の利用可能性】
【００２４】
パソコン本体を含め、殆どの周辺機器が電源を必要としており、一般的にコンセントタップを採用しているケースが多いが、節電コンセントタップとしての機能のほか、パソコン台、またコード整理箱としての用途を有する本発明の需要は期待できる。
本発明は構造が簡易で、購入者側の組み立て式とすることが可能であること、また組み立て式とすることで梱包もコンパクトにすることが可能となることから価格低減に貢献出来るものである。
【符号の説明】
【００２５】
１０１  節電パソコン台外枠
１０２  節電パソコン台内枠
１  天板（パソコン上載部）
２  側板
３  支柱
４  内枠底部
５  節電スイッチ
６  機器名称枠
７  外部コンセント
８  コンセント収納部
９  コンセント
１０  コード配置スペース
１１  コード固定具
１２  コード外部引き出し口
１３  電源コード
１４  既存パソコン台
【図１】
2013161265.tif 000003
【図２】
2013161265.tif 000004
【図３】
2013161265.tif 000005
【図４】
2013161265.tif 000006
【図５】
2013161265.tif 000007
【図６】
2013161265.tif 000008